(57)【要約】【課題】経済的効果の向上を期待できる乗車便を提示可能とすること。【解決手段】出発地及び目的地の指定を含む乗車要求を受信し、同一車両によって複数種類の乗車形態での乗車便を提供可能な車両ごとに、当該車両に対して割り当てられたスケジュール、及び、当該スケジュールの乗車形態の種類、を示す情報を記憶する記憶部を参照して、前記複数種類の乗車形態に係る実現可能な乗車便を生成し、生成された実現可能な乗車便群の部分集合の中で所定条件を満たす部分集合ごとに、当該部分集合を構成する各乗車便の選択確率を算出し、算出された選択確率に基づいて、前記所定条件を満たす部分集合の中から、前記乗車要求に対して提示する部分集合を選択する、処理をコンピュータが実行する。【選択図】図３
2014238831.tif 000002
【特許請求の範囲】
【請求項１】
出発地及び目的地の指定を含む乗車要求を受信し、
同一車両によって複数種類の乗車形態での乗車便を提供可能な車両ごとに、当該車両に対して割り当てられたスケジュール、及び、当該スケジュールの乗車形態の種類、を示す情報を記憶する記憶部を参照して、前記複数種類の乗車形態に係る実現可能な乗車便を生成し、
生成された実現可能な乗車便群の部分集合の中で所定条件を満たす部分集合ごとに、当該部分集合を構成する各乗車便の選択確率を算出し、
算出された選択確率に基づいて、前記所定条件を満たす部分集合の中から、前記乗車要求に対して提示する部分集合を選択する、
処理をコンピュータが実行することを特徴とする輸送サービス予約方法。
【請求項２】
前記複数種類の乗車形態は、同時に対応可能な乗車要求の数が相互に異なることを特徴とする請求項１記載の輸送サービス予約方法。
【請求項３】
前記複数種類の乗車形態は、経路の変更の可否が相互に異なることを特徴とする請求項１又は２記載の輸送サービス予約方法。
【請求項４】
前記選択する処理は、前記算出された選択確率に基づいて、前記所定条件を満たす部分集合ごとに、輸送サービスの提供者の利益の期待値を算出し、前記利益の期待値に基づいて、前記乗車要求に対して提示する部分集合を選択することを特徴とする請求項１乃至３いずれか一項記載の輸送サービス予約方法。
【請求項５】
前記選択する処理は、前記算出された選択確率に基づいて、前記所定条件を満たす部分集合ごとに、輸送サービスの利用者の効用の期待値を算出し、前記効用の期待値に基づいて、前記乗車要求に対して提示する部分集合を選択することを特徴とする請求項１乃至４いずれか一項記載の輸送サービス予約方法。
【請求項６】
前記選択する処理において選択された部分集合を、前記乗車要求の送信元に返信し、
返信された部分集合の中から利用者が選択した乗車便を受信し、前記乗車便に係る車両に対し、当該乗車便を実現するスケジュールに関する情報を送信する、
処理を前記コンピュータが実行する請求項１乃至５いずれか一項記載の輸送サービス予約方法。
【請求項７】
同一車両によって複数種類の乗車形態での乗車便を提供可能な車両ごとに、当該車両に対して割り当てられたスケジュール、及び、スケジュールの乗車形態の種類、を示す情報を記憶する記憶部と、
出発地及び目的地の指定を含む乗車要求を受信する受信部と、
前記記憶部を参照して、前記複数種類の乗車形態に係る実現可能な乗車便を生成する生成部と、
前記生成部によって生成された実現可能な乗車便群の部分集合の中で所定条件を満たす部分集合ごとに、当該部分集合を構成する各乗車便の選択確率を算出する算出部と、
算出された選択確率に基づいて、前記所定条件を満たす部分集合の中から、前記乗車要求に対して提示する部分集合を選択する選択部と、
を有することを特徴とする輸送サービス予約装置。
【請求項８】
出発地及び目的地の指定を含む乗車要求を受信し、
同一車両によって複数種類の乗車形態での乗車便を提供可能な車両ごとに、当該車両に対して割り当てられたスケジュール、及び当該スケジュールの乗車形態の種類、を示す情報を記憶する記憶部を参照して、前記複数種類の乗車形態に係る実現可能な乗車便を生成し、
生成された実現可能な乗車便群の部分集合の中で所定条件を満たす部分集合ごとに、当該部分集合を構成する各乗車便の選択確率を算出し、
算出された選択確率に基づいて、前記所定条件を満たす部分集合の中から、前記乗車要求に対して提示する部分集合を選択する、
処理をコンピュータに実行させる輸送サービス予約プログラム。
【発明の詳細な説明】
【技術分野】
【０００１】
本発明は、輸送サービス予約方法、輸送サービス予約装置、及び輸送サービス予約プログラムに関する。
【背景技術】
【０００２】
従来、モバイルデバイスを用いて、タクシーを予約するシステムが考案されている（例えば、非特許文献１、２参照）。ＧＰＳ内臓のモバイルデバイスは、利用者からの指示に応じ、現在位置情報を含んだ乗車要求をサーバに送信する。サーバは、例えば、利用者を最も早くピックアップ可能な車両に当該乗車要求を割り当て、モバイル端末に予定乗車時刻を通知する。モバイル端末から利用者の受諾の通知がサーバに送信されると、予約が成立する。しかし、タクシーは料金が高いため、日常的に利用するのは経済的ではない。
【０００３】
そこで、比較的低料金で利用可能な相乗りをマッチングするシステムが考案されている（例えば、非特許文献３、４参照）。利用者は、出発地、目的地、希望出発時刻、希望到着時刻等の条件が指定された乗車要求をサーバに送信する。サーバは、当該乗車要求と時間的、空間的に類似した他の乗車要求に係る他の相乗り希望者、又は相乗り提供者を検索し、検索結果を相乗り相手の候補として利用者に提示する。利用者から受諾が通知されると、予約が成立する。相乗りには、ｄｏｏｒ−ｔｏ−ｄｏｏｒの移動手段を提供する形態と、バス停等、予め決められた場所で乗降する形態とが有る。
【先行技術文献】
【非特許文献】
【０００４】
【非特許文献１】［online］、［平成２５年１１月１８日検索］、https://hailocab.com/
【非特許文献２】［online］、［平成２５年１１月１８日検索］、https://www.uber.com/
【非特許文献３】［online］、［平成２５年１１月１８日検索］、http://www.lyft.me/
【非特許文献４】［online］、［平成２５年１１月１８日検索］、http://www.side.cr/
【発明の概要】
【発明が解決しようとする課題】
【０００５】
しかしながら、上記のシステムは、単に、利用者からの乗車要求で指定された条件に合致する選択肢を列挙しているにすぎず、例えば、サービスの提供者の利益の向上又は利用者の満足度の向上等、経済的な効果については考慮されていない。
【０００６】
そこで、一側面では、経済的効果の向上を期待できる乗車便を提示可能とすることを目的とする。
【課題を解決するための手段】
【０００７】
一つの案では、輸送サービス予約方法は、出発地及び目的地の指定を含む乗車要求を受信し、同一車両によって複数種類の乗車形態での乗車便を提供可能な車両ごとに、当該車両に対して割り当てられたスケジュール、及び当該スケジュールの乗車形態の種類、を示す情報を記憶する記憶部を参照して、前記複数種類の夫々の乗車形態に係る実現可能な乗車便を生成し、生成された実現可能な乗車便群の部分集合の中で所定条件を満たす部分集合ごとに、当該部分集合を構成する各乗車便の選択確率を算出し、算出された選択確率に基づいて、前記所定条件を満たす部分集合の中から、前記乗車要求に対して利用者に提示する部分集合を選択する、処理をコンピュータが実行する。
【発明の効果】
【０００８】
一態様によれば、経済的効果の向上を期待できる乗車便を提示可能とすることができる。
【図面の簡単な説明】
【０００９】
【図１】第一の実施の形態における輸送サービス予約システムの構成例を示す図である。
【図２】第一の実施の形態における輸送サービス予約装置のハードウェア構成例を示す図である。
【図３】第一の実施の形態における輸送サービス予約システムの機能構成例を示す図である。
【図４】輸送サービスの予約処理の処理手順の一例を説明するための図である。
【図５】スケジュール情報記憶部が記憶するスケジュール情報の一例を示す図である。
【図６】スケジュール情報から得られる車両の挙動を示す図である。
【図７】予約情報記憶部の構成例を示す図である。
【図８】乗車便生成及び選択処理の処理手順の一例を説明するためのフローチャートである。
【図９】実現可能な乗車便の生成処理の処理手順の一例を説明するためのフローチャートである。
【図１０】スケジュール情報の第一の更新例を示す図である。
【図１１】スケジュール情報の第二の更新例を示す図である。
【図１２】実現可能な乗車便の生成処理によって得られる情報の一例を示す図である。
【図１３】第二の実施の形態における輸送サービス予約システムの構成例を示す図である。
【図１４】第二の実施の形態における輸送サービス予約システムの機能構成例を示す図である。
【発明を実施するための形態】
【００１０】
以下、図面に基づいて本発明の実施の形態を説明する。図１は、第一の実施の形態における輸送サービス予約システムの構成例を示す図である。図１において、輸送サービス予約システム１は、輸送サービス予約装置１０及び１以上の利用者端末２０等を含む。輸送サービス予約装置１０と利用者端末２０とは、インターネット、電話回線等の通信網を介して通信可能に接続される。
【００１１】
輸送サービス予約装置１０は、輸送サービスの乗車要求を受け付け、乗車要求に応じた乗車便を生成する処理を実行するコンピュータである。輸送サービスとは、自動車等の車両によって、利用者を目的地へ輸送するサービスをいう。輸送サービス予約装置１０は、例えば、輸送サービスを提供する或る企業において利用されるコンピュータであってもよい。
【００１２】
本実施の形態における輸送サービスでは、同一車両によって複数種類の乗車形態でのサービスの提供が可能とされる。複数種類の乗車形態のサービスは、例えば、タクシーサービス、乗合タクシーサービス、及び小型バスサービス等である。
【００１３】
タクシーサービスとは、一つの乗車要求に応えて、ｄｏｏｒ−ｔｏ−ｄｏｏｒの輸送が行われるサービスをいう。ｄｏｏｒ−ｔｏ−ｄｏｏｒとは、例えば、利用者が指定した出発地から目的地までをいう。したがって、利用者は、任意の地点で乗降することが可能である。また、一つの乗車要求に応えてとは、タクシーサービスに関して一つの車両が同時に対応可能な、又は一つの車両に同時に割り当て可能な乗車要求の数は、一つであることを意味する。
【００１４】
乗合タクシーサービスとは、タクシーサービスと同様にｄｏｏｒ−ｔｏ−ｄｏｏｒの輸送が行われるが、複数の乗車要求に対応可能であるサービスをいう。複数の乗車要求に対応可能であるとは、乗合タクシーサービスに関して一つの車両が同時に対応可能な、又は一つの車両に同時に割り当て可能な乗車要求の数は、一又は複数であることを意味する。したがって、乗合タクシーサービスの場合、他人同士が相乗りする可能性が有る。また、相乗りする他人のための迂回が発生し、各乗客の輸送時間が、タクシーサービスに比較して増大する可能性が有る。
【００１５】
小型バスサービスとは、複数の乗車要求に対応可能であるが、車両は予め決められたルート（経路）を走行するサービスをいう。乗客は、バス停、又は、ルート上の任意の地点で乗降する。したがって、小型バスサービスに関して、相乗りする他人のために、各乗客の輸送時間が増大する可能性は低い。但し、乗降地点と出発地又は目的地との間の移動が、各乗客に対して要求される。なお、小型バスサービスには、通常の路線バスのように予め決められたタイムテーブルは無い。小型バスサービスが或る車両に割り当てられると、当該車両によって小型バスサービスが提供される。
【００１６】
本実施の形態の輸送サービス予約システム１は、同一の車両を、タクシーサービス、乗合タクシーサービス、小型バスサービスのいずれかのサービスに動的に割り当てる。そのために、例えば、乗車定員が６〜８人程度の車両が用いられてもよい。また、同一車両で出発地及び目的地が同じであっても、タクシーサービス、乗合タクシーサービス、及び小型バスサービスとの間で、相互に異なる料金が設定されてもよい。
【００１７】
以下、タクシーサービス、乗合タクシーサービス、及び小型バスサービスを区別する概念を、「サービス種別」という。
【００１８】
利用者端末２０は、輸送サービスの利用者が利用する端末である。すなわち、利用者端末２０は、輸送サービスに関して、利用者に対する入出力インタフェースとして機能する。利用者端末２０の一例として、フィーチャーフォン、スマートフォン、タブレット型端末、又はＰＣ（Personal Computer）等が挙げられる。
【００１９】
図２は、第一の実施の形態における輸送サービス予約装置のハードウェア構成例を示す図である。図２の輸送サービス予約装置１０は、それぞれバスＢで相互に接続されているドライブ装置１００、補助記憶装置１０２、メモリ装置１０３、ＣＰＵ１０４、及びインタフェース装置１０５等を有する。
【００２０】
輸送サービス予約装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２１】
メモリ装置１０３は、プログラムの起動指示があった場合に、補助記憶装置１０２からプログラムを読み出して格納する。ＣＰＵ１０４は、メモリ装置１０３に格納されたプログラムに従って輸送サービス予約装置１０に係る機能を実行する。インタフェース装置１０５は、ネットワークに接続するためのインタフェースとして用いられる。
【００２２】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００２３】
図３は、第一の実施の形態における輸送サービス予約システムの機能構成例を示す図である。図３において、利用者端末２０は、入力制御部２１、要求送信部２２、応答受信部２３、及び出力制御部２４等を有する。これら各部は、利用者端末２０にインストールされたプログラムが、利用者端末２０のＣＰＵに実行させる処理により実現可能である。
【００２４】
入力制御部２１は、利用者からの指示の入力を受け付ける。要求送信部２２は、利用者からの指示に応じた要求を、輸送サービス予約装置１０に送信する。本実施の形態では、輸送サービスの利用要求（以下、「乗車要求」という。）等が送信される。応答受信部２３は、要求送信部２２によって送信された要求に対する応答を受信する。出力制御部２４は、応答受信部２３によって受信された応答に含まれている情報等を、利用者端末２０の表示装置に表示させる。
【００２５】
輸送サービス予約装置１０は、要求受信部１２１、応答送信部１２２、乗車便生成部１２３、選択確率算出部１２４、提示乗車便選択部１２５、及び予約処理部１２６等を有する。これら各部は、輸送サービス予約装置１０にインストールされたプログラムが、ＣＰＵ１０４に実行させる処理により実現される。輸送サービス予約装置１０は、また、利用者情報記憶部１３１、車両情報記憶部１３２、地図データ記憶部１３３、スケジュール情報記憶部１３４、及び予約情報記憶部１３５等を有する。これら各記憶部は、例えば、補助記憶装置１０２を用いて実現可能である。又は、これら各記憶部は、輸送サービス予約装置１０にネットワークを介して接続される記憶装置を用いて実現されてもよい。
【００２６】
要求受信部１２１は、乗車要求等を受信する。乗車要求は、利用者の識別情報である利用者ＩＤ、乗車日、並びに出発地及び目的地等、乗車に関する条件の指定を含む。
【００２７】
乗車便生成部１２３は、スケジュール情報記憶部１３４に記憶されている、スケジュールを参照して、乗車要求に基づき、各車両、各乗車形態に対して、実現可能な乗車便を生成する。
【００２８】
スケジュールは、あるサービスを実行する際の運行手順を示す情報であり、停車場所の系列、各停車場所における到着時刻・出発時刻、各停車場所での乗降者などの情報を含む。
【００２９】
乗車便とは、各利用者に提供するサービス内容を示す情報であり、サービス種別、乗車場所、降車場所、予定乗車時刻・予定降車時刻、料金などの情報を含む。
【００３０】
乗車便の生成とは、乗車要求に応じて、ある車両に対して、新規にスケジュールを生成、又は、既存のスケジュールを更新し、スケジュールに基づき、当該乗車要求を行った利用者に対するサービス内容を決定することをいう。
【００３１】
選択確率算出部１２４は、乗車便生成部１２３によって生成された乗車便群の部分集合のうち、所定の条件又は所定の規則（以下、「所定条件」で統一する。）を満たす部分集合ごとに、当該部分集合を構成する各乗車便の選択確率を算出する。選択確率は、各乗車便が利用者によって選択される確率をいう。なお、所定条件は、例えば、相互にサービス種別の異なる３つの乗車便が構成要素であるという条件である。この場合、タクシーサービスに係る１つの乗車便、乗合タクシーサービスに係る１つの乗車便、及び小型バスサービスに係る１つの乗車便が、所定条件を満たす各部分集合を構成することになる。但し、どのような乗車便を利用者に提示するのかといった方針等に応じて、所定条件は、適宜変更されてもよい。例えば、一つの部分集合には、同じサービス種別の乗車便が二つずつ含まれるようにしてもよい。
【００３２】
提示乗車便選択部１２５は、算出された選択確率に基づいて、所定条件を満たす部分集合（乗車便の組み合わせ）の中から、利用者に提示する乗車便の組み合わせを選択する。例えば、提示乗車便選択部１２５は、選択確率に基づいて、利用者の代表的効用（以下、単に「効用」という。）又はサービス提供者の利益が最大となる乗車便の組み合わせを選択する。
【００３３】
応答送信部１２２は、提示乗車便選択部１２５によって選択された乗車便の組み合わせを構成する各乗車便の情報を、乗車要求に対する応答として返信する。応答送信部１２２によって返信された情報に基づいて、利用者端末２０において乗車便が選択されると、乗車便の選択結果を含む、乗車便の予約要求が、要求受信部１２１によって受信される。
【００３４】
予約処理部１２６は、乗車便の予約要求に応じ、当該予約された乗車便に関する情報を予約情報記憶部１３５に記憶し、当該予約された乗車便のスケジュールに関する情報をスケジュール情報記憶部１３４に記憶する。
【００３５】
予約情報記憶部１３５は、予約された乗車便に関する情報を記憶する。
【００３６】
利用者情報記憶部１３１は、各利用者の情報を記憶する。当該情報には、例えば、利用者ＩＤ、年齢、及び性別等が含まれる。
【００３７】
車両情報記憶部１３２は、各車両の情報を格納する。当該情報には、例えば、車種、乗車定員、及び車両の現在位置情報等が含まれる。
【００３８】
地図データ記憶部１３３は、道路ネットワークに関する情報を記憶する。道路ネットワークに関する情報は、例えば、ノードとリンクからなるネットワークとして表現され、交差点や各種ＰＯＩ（Point Of Interests）の緯度、経度、道路の長さや幅、信号の有無、交通規制情報等を含む。また、各種センサーを用いて、リアルタイムに取得される道路の交通情報が、道路ネットワークに関する情報に含まれてもよい。当該交通情報は、例えば、各道路の通過所要時間を含んでもよい。
【００３９】
以下、利用者端末２０及び輸送サービス予約装置１０が実行する処理手順について説明する。図４は、輸送サービスの予約処理の処理手順の一例を説明するための図である。
【００４０】
ステップＳ１０１において、利用者端末２０の入力制御部２１は、利用者から乗車要求に関するパラメータ群の入力を受け付ける。当該パラメータ群には、利用者ＩＤ、乗車日、並びに出発地及び目的地を示す情報が含まれる。また、当該パラメータ群は、希望出発時刻及び希望到着時刻の少なくともいずれか一方を含んでもよい。更に、当該パラメータ群は、乗車人数又は座席数を含んでもよい。希望出発時刻又は希望到着時刻が指定される場合、例えば、「８時」のように特定の時刻が指定されてもよいし、「８時〜８時３０分」のように時間帯での指定が可能とされてもよい。また、希望乗車時刻について、即刻、すなわち、できるだけ早く、といった指定が可能とされてもよい。
【００４１】
続いて、利用者端末２０の要求送信部２２は、入力されたパラメータを含む乗車要求を、輸送サービス予約装置１０に送信する（Ｓ１０２）。当該乗車要求は、輸送サービス予約装置１０の要求受信部１２１によって受信される（Ｓ２０１）。
【００４２】
続いて、輸送サービス予約装置１０は、当該乗車要求に応じ、スケジュール情報記憶部１３４を参照して、乗車便生成及び利用者に提示する乗車便の選択処理を実行する（Ｓ２０２）。
【００４３】
図５は、スケジュール情報記憶部が記憶するスケジュール情報の一例を示す図である。図５には、或る車両の１日分のスケジュール情報が示されている。図５において、一つのブロック（一つの矩形）は、一つのスケジュールに対応する。
【００４４】
図５において、当該車両には、乗合タクシーサービスのスケジュールの後に小型バスサービスのスケジュールが割り当てられている。すなわち、図５において、時間の進行方向は、右向きである。
【００４５】
乗合タクシーサービスと小型バスサービスとの合間には、乗合タクシーサービスの最終降車場所から、小型バスサービスの最初の乗車場所まで空車で移動するスケジュール（以下、「移動スケジュール」という。）が挿入されている。各スケジュールは、スケジュールＩＤ、サービス種別、停車場所、到着時刻、出発時刻、乗車客リスト、降車客リスト等の情報を有する。
【００４６】
スケジュールＩＤは、各スケジュールの識別情報である。サービス種別は、各スケジュールのサービス種別である。なお、移動スケジュールのサービス種別は、「移動」とされている。停車場所は、地名、住所、緯度及び経度等、停車場所を特定する情報である。
【００４７】
到着時刻は、停車場所に到着する時刻である。出発時刻は、停車場所から出発する時刻である。乗車客リストは、停車場所で乗車する利用者の利用者ＩＤのリストである。降車客リストは、停車場所で降車する利用者の利用者ＩＤのリストである。
【００４８】
図６は、スケジュール情報から得られる車両の挙動を示す図である。図６には、図５に示したスケジュール情報から得られる車両の挙動が、有向グラフによって示されている。
【００４９】
有向グラフの各ノードは、停車場所を示す。ノード内のアルファベットは、図５における停車場所の値に一致する。各ノードに添えられた数字は、当該ノードに係る停車場所で乗車又は降車する利用者の利用者ＩＤを示す。プラスが付いている数字は乗車する利用者の利用者ＩＤを示し、マイナスが付いている数字は降車する利用者の利用者ＩＤを示す。有向枝に付与された中括弧内の数字は、当該有向枝によって接続される二つの停車場所間において輸送される利用者の利用者ＩＤである。
【００５０】
乗車便生成処理においては、乗車要求に応じたサービスを実現するために、新規にスケジュールを生成、又は、既存のスケジュールを更新し、スケジュールに基づき、乗車便を生成する。各乗車便の予定乗車時刻、予定降車時刻等は、車両の空き状況、すなわち、予約状況や、車両の現在位置等に応じて、車両ごとに異なってもよい。また、小型バスサービスの場合は、当該サービスを割り当てられた車両のルートによって、乗車場所、降車場所が異なってもよい。
【００５１】
利用者に提示する乗車便の選択処理においては、生成された乗車便群の部分集合のうち、所定条件を満たす部分集合（乗車便の組み合わせ）ごとに、当該部分集合を構成する各乗車便の選択確率が算出される。算出された選択確率に基づいて、所定条件を満たす部分集合の中から、利用者に提示する乗車便の組み合わせが選択される。
【００５２】
続いて、輸送サービス予約装置１０の応答送信部１２２は、選択された組み合わせを構成する各乗車便に関する情報を、乗車要求の送信元の利用者端末２０に返信する（Ｓ２０３）。各乗車便に関する情報には、例えば、サービス種別、乗車場所、降車場所、予定乗車時刻、予定降車時刻、及び料金等が含まれる。
返信された情報は、利用者端末２０の応答受信部２３によって受信される（Ｓ１０３）。利用者端末２０の出力制御部２４は、受信された情報に含まれる各乗車便を選択肢として表示する。利用者は、各乗車便のサービス種別、乗車場所、降車場所、予定乗車時刻、予定降車時刻、及び料金等を比較して、自らが利用したい乗車便を検討する。
【００５３】
続いて、利用者端末２０の入力制御部２１は、選択肢として表示された乗車便の中から、一つの乗車便の選択を受け付ける（Ｓ１０４）。要求送信部２２は、乗車便の選択に応じ、例えば、選択された乗車便のスケジュールＩＤを含む予約要求を、輸送サービス予約装置１０に送信する（Ｓ１０５）。
【００５４】
当該予約要求は、輸送サービス予約装置１０の要求受信部１２１によって受信される（Ｓ２０４）。予約要求の受信に応じ、予約処理部１２６は、スケジュール情報記憶部１３４に記憶されているスケジュール情報を更新し、予約情報記憶部１３５に、新たな予約情報を追加する（Ｓ２０５）。具体的には、選択された乗車便に係る車両のスケジュール情報が更新される。また、予約要求に係る予約情報が、予約情報記憶部１３５に記憶される。
【００５５】
図７は、予約情報記憶部の構成例を示す図である。図７において、予約情報記憶部１３５は、予約した乗車便に対する、利用者ＩＤ、スケジュールＩＤ、乗車場所、降車場所、予定乗車時刻、予定降車時刻、及び料金等を記憶する。
【００５６】
利用者ＩＤは、予約の要求元の利用者の利用者ＩＤである。スケジュールＩＤは、予約された乗車便に関連付けられたスケジュールのスケジュールＩＤである。乗車場所及び降車場所は、当該乗車便の乗車場所又は降車場所である。予定乗車時刻及び予定降車時刻は、当該乗車便の予定乗車時刻又は予定降車時刻である。料金は、当該乗車便の料金である。料金は、例えば、サービス種別及び乗車距離等に基づいて算出されてもよい。
【００５７】
なお、スケジュール情報の更新例については後述される。
【００５８】
続いて、応答送信部１２２は、予約の完了通知を、利用者端末２０に返信する（Ｓ２０６）。利用者端末２０の応答受信部２３は、当該通知を受信する（Ｓ１０６）。なお、当該通知に基づいて、出力制御部２４が、予約の完了を示す画面を利用者端末２０に表示させてもよい。
【００５９】
続いて、ステップＳ２０２の詳細について説明する。図８は、乗車便生成及び利用者に提示する乗車便の選択処理の処理手順の一例を説明するためのフローチャートである。
【００６０】
ステップＳ３０１において、乗車便生成部１２３は、利用者からの乗車要求と、各車両のスケジュール情報とに基づいて、各車両について、各サービス種別に係る実現可能な乗車便を生成する（Ｓ３０１）。
【００６１】
続いて、選択確率算出部１２４は、実現可能な乗車便群の部分集合（乗車便の組み合わせ）のうち、所定条件を満たす乗車便の組み合わせごとに、各乗車便の選択確率を算出する（Ｓ３０２）。
【００６２】
続いて、提示乗車便選択部１２５は、選択確率算出部１２４によって算出された選択確率に基づいて、所定条件を満たす乗車便の組み合わせ群の中から、利用者に提示する乗車便の組み合わせを選択する（Ｓ３０３）。
【００６３】
ステップＳ３０１の詳細について説明する。図９は、実現可能な乗車便の生成処理の処理手順の一例を説明するためのフローチャートである。
【００６４】
乗車便生成部１２３は、車両ごと（Ｓ４０１）、かつ、サービス種別ごと（Ｓ４０２）に、ステップＳ４０３以降の処理を実行する。以下において、処理対象の車両を車両ｉと記し、処理対象のサービス種別を、サービスｍと記す。ｉの値は、１〜Ｎのいずれかである。Ｎは、車両情報記憶部１３２に記憶されている車両の台数である。サービスｍの値は、タクシーサービス、乗合タクシーサービス、又は小型バスサービスである。
【００６５】
ステップＳ４０３において、乗車便生成部１２３は、車両ｉに関して、乗車要求に基づき、サービスｍに係る新規なスケジュール（以下、「新規スケジュール」という。）の生成を試みる。
【００６６】
図１０は、スケジュール情報の第一の更新例を示す図である。図１０は、図５に示したスケジュール情報の更新例を示す。図１０では、図５の乗合タクシーサービスに係るスケジュールＳ1と小型バスサービスに係るスケジュールＳ３の間に、タクシーサービスに係る新規スケジュールＳ4が挿入された例を示す。スケジュールＳ1とスケジュールＳ4との間に、移動スケジュールＳ5が挿入されている。また、スケジュールＳ4とスケジュールＳ3との間に移動スケジュールＳ6が挿入されている。なお、新規スケジュールＳ４の利用者の利用者ＩＤは、「３」である。
【００６７】
ここで、新規スケジュールから得られる乗車便は、必ずしも、利用者からの乗車要求の条件を全て満たす必要はない。例えば、利用者からの乗車要求で指定された希望乗車時刻又は希望降車時刻と、新規スケジュールから得られる乗車便の予定乗車時刻又は予定降車時刻との間に、前後所定時間（±α）のずれが許容されてもよい。
【００６８】
経路探索は、例えば、地図データ記憶部１３３に記憶されている地図データや公知の技術等を用いて行うことができる。
【００６９】
ステップＳ４０４では、車両ｉに割り当てられている既存のスケジュール（以下、「既存スケジュール」という。）と、新規スケジュールとの間で競合しているか否かを判定する。具体的には、新規スケジュールの前後の既存スケジュールとの間に、移動時間を確保可能か否かが判定される。
【００７０】
新規スケジュールが前後の既存スケジュールと競合しない場合（Ｓ４０４でＮｏ）、乗車便生成部１２３は、新規スケジュールに基づき、当該利用者に対して提供可能な乗車便を生成する（Ｓ４０５）。具体的には、当該新規スケジュールに基づき、乗車便のサービス種別、乗車場所、降車場所、予定乗車時刻・予定降車時刻、料金などの情報を決定する。新規スケジュールはメモリ装置１０３に記憶される。すなわち、図１０の例によれば、スケジュールＳ４の情報が、メモリ装置１０３に記憶される。なお、ステップＳ４０５の時点では、新規スケジュールの予約は確定していないため、新規スケジュール情報は、スケジュール情報記憶部１３４には反映されない。
【００７１】
一方、新規スケジュールが既存スケジュールと競合する場合（Ｓ４０４でＹｅｓ）、乗車便生成部１２３は、既存スケジュールを更新することで、乗車要求に対するサービスを提供することの可否を判定する。
【００７２】
まず、ステップＳ４０６において、乗車便生成部１２３は、サービスｍがタクシーサービスであるか否かを判定する。サービスｍがタクシーサービスである場合（Ｓ４０６でＹｅｓ）、乗車便生成部１２３は、車両ｉに関してサービスｍでの乗車便の生成は不可能であると判定する。タクシーサービスに係る乗車便は、一つの乗車要求によって占有されるため、新規スケジュールとしてのみ生成可能であるからである。この場合、サービスｍの値が変更されて、ステップＳ４０２以降が実行される。
【００７３】
サービスｍがタクシーサービス以外である場合（Ｓ４０６でＮｏ）、乗車便生成部１２３は、既存スケジュールのサービス種別がサービスｍであるか否かを判定する（Ｓ４０７）。既存スケジュールのサービス種別がサービスｍと異なる場合（Ｓ４０７でＮｏ）、乗車便生成部１２３は、車両ｉに関してサービスｍでの乗車便の生成は不可能であると判定する。一つの車両が、異なるサービスを同時に提供することは出来ないからである。この場合、サービスｍの値が変更されて、ステップＳ４０２以降が実行される。
【００７４】
既存スケジュールのサービス種別がサービスｍである場合（Ｓ４０７でＹｅｓ）、乗車便生成部１２３は、既存スケジュールを更新する（Ｓ４０８）。
【００７５】
図１１は、スケジュール情報の第二の更新例を示す図である。図１１は、図５に示したスケジュール情報の更新例を示す。図１１では、既存の乗合タクシーに係るスケジュールＳ１がスケジュールＳ１’へ更新されている。すなわち、図１１は、新たな乗車要求に係る利用者の輸送が、既存のスケジュールの更新により行われる例である。
【００７６】
具体的には、既存スケジュールＳ１について、乗車要求に指定された出発地及び目的地に対応する二つの停車場所（停車場所ｅ、停車場所ｆ）の列が挿入された結果がスケジュールＳ１’とされている。また、挿入された停車場所以降の停車場所に関して、到着時刻又は出発時刻が更新される。停車場所の追加は、既存スケジュールに対する新たな経路の挿入を意味し、新たな経路の移動に要する時間が必要とされるからである。乗車要求に対応する停車場所を既存スケジュールに挿入する方法は、スケジューリング・ルーティングアルゴリズムに依存するが、総走行距離が最短になるように各乗客の乗車順及び降車順が決定されてもよい。また、停車場所の追加によって生じる新たな経路及び当該経路の所要時間は、公知のルート探索技術等を用いて算出することができる。なお、図１１において、追加された停車場所で乗降する利用者、すなわち、当該スケジュール情報の更新の元となった乗車要求に係る利用者の利用者ＩＤは、「３」である。
【００７７】
なお、ステップＳ４０８において更新されるのは、スケジュール情報記憶部１３４から、例えば、メモリ装置１０３にコピーされた、車両ｉの作業用のスケジュール情報である。
【００７８】
続いて、更新後の既存スケジュール（以下、「更新スケジュール」という。）が、所定の制約条件を充足しているか否かが判定される。具体的には、ステップＳ４０９において、乗車便生成部１２３は、更新スケジュールが、車両ｉの定員の制約を充足しているか否かを判定する。すなわち、いかなる時点においても、乗客の数が車両ｉの定員を超えることは許されない。なお、車両ｉの定員は、例えば、車両情報記憶部１３２を参照して特定される。
【００７９】
更新スケジュールが、車両ｉの定員の制約を充足している場合（Ｓ４０９でＹｅｓ）、乗車便生成部１２３は、更新スケジュールの各利用者について、更新スケジュールにおける乗車時刻及び降車時刻と、予約時に通知した乗車時刻及び降車時刻との差が、閾値以内であるか否かを判定する（Ｓ４１０）。約束の時間になっても車両が長時間現れないという事態を防ぐためである。具体的には、乗車便生成部１２３は、予約情報記憶部１３５（図７）から、更新スケジュールのスケジュールＩＤを含むレコードを検索する。乗車便生成部１２３は、検索されたレコードごとに、当該レコードの乗車時刻及び降車時刻と、更新スケジュールの情報（例えば、図１１のスケジュールＳ１’）において当該レコードの利用者ＩＤに対する乗車時の出発時刻及び降車時の到着時刻との差分を算出する。乗車便生成部１２３は、算出された差分が、閾値以内であるか否かを判定する。当該閾値は、例えば、輸送サービスの利用規約等において規定されていてもよい。全てのレコード（利用者）に関して、当該差分が閾値以内であれば、当該制約は充足されていると判定される。いずれかのレコード（利用者）に関して、当該差分が閾値を超えていれば、当該制約は充足されていないと判定される。
【００８０】
予約時に通知した乗車時刻及び降車時刻に関する制約が充足されている場合（Ｓ４１０でＹｅｓ）、乗車便生成部１２３は、乗車要求に係る利用者、及び更新スケジュールの他の利用者に関して、乗車時間が最大値（以下、「最大乗車時間」という。）以下か否かを判定する（Ｓ４１１）。乗り合いでの乗車時間の増加によるサービスレベルの著しい低下を防止するためである。具体的には、乗車便生成部１２３は、更新スケジュール（例えば、図１１のスケジュールＳ１’）を参照して、利用者ＩＤごとに、降車時の到着時刻から乗車時の出発時刻を差し引くことで各利用者の乗車時間を算出する。乗車便生成部１２３は、算出された乗車時間が、最大乗車時間以下であるか否かを判定する。最大乗車時間は、各利用者ＩＤに係る乗車時の停車場所と降車時の停車場所との間を、例えば、タクシーサービスで移動した場合の所要時間を基準に算出されてもよい。すなわち、最大乗車時間は、利用者ごとに異なってもよい。全ての利用者の乗車時間が、最大乗車時間以下であれば、当該制約は充足されていると判定される。いずれかの利用者の乗車時間が、最大乗車時間を超えていれば、当該制約は充足されていないと判定される。
【００８１】
乗車時間に関する制約が充足されている場合（Ｓ４１１でＹｅｓ）、乗車便生成部１２３は、更新スケジュールが、車両ｉに関する他の既存スケジュールと競合しているか否かを判定する（Ｓ４１２）。具体的には、更新スケジュールの前後の他の既存スケジュールとの間に、移動時間を確保可能か否かが判定される。
【００８２】
更新スケジュールが、他の既存スケジュールと競合していない場合（Ｓ４１２でＮｏ）、乗車便生成部１２３は、更新スケジュールに基づき、当該利用者に対して提供可能な乗車便生成する（Ｓ４１３）。具体的には、当該更新スケジュールに基づき、乗車便のサービス種別、乗車場所、降車場所、予定乗車時刻・予定降車時刻、料金などの情報を決定する。そして、更新スケジュールを、メモリ装置１０３に記憶する。例えば、図１１の例であれば、スケジュールＳ１の情報がメモリ装置１０３に記憶される。なお、ステップＳ４１３の時点では、更新スケジュールの予約は確定していないため、更新スケジュールに関するスケジュール情報は、スケジュール情報記憶部１３４には反映されない。
【００８３】
一方、いずれかの制約が充足されない場合（Ｓ４０９でＮｏ、Ｓ４１０でＮｏ、若しくはＳ４１１でＮｏ）、又は更新スケジュールが、他の既存スケジュールと競合する場合（Ｓ４１２でＹｅｓ）、乗車便生成部１２３は、車両ｉに関してサービスｍでの乗車便の生成は不可能であると判定する。この場合、サービスｍの値が変更されて、ステップＳ４０２以降が実行される。
【００８４】
ステップＳ４０３以降が、車両１〜車両Ｎに関して、サービス種別ごとに実行されることにより、図１２に示されるような情報が得られる。
【００８５】
図１２は、実現可能な乗車便の生成処理によって得られる情報の一例を示す図である。図１２には、３行Ｎ列の行列が、表形式で表現されている。行方向は、サービス種別に対応し、列方向は、各車両に対応する。
【００８６】
行列の要素の値は、「○」又は「×」である。「○」は、当該列の車両について当該行のサービス種別に係る乗車便が実現可能であることを示す。「×」は、当該列の車両について当該行のサービス種別に係る乗車便が実現不可能であることを示す。図９の処理によれば、「○」である乗車便のスケジュール情報が、例えば、メモリ装置１０３に記憶される。
【００８７】
続いて、図８のステップＳ３０２以降の詳細について説明する。以下において、乗車便pi、mは、車両ｉによって提供されるサービスｍに係る乗車便を示す。また、集合Ｆは、ステップＳ３０１によって実現可能である乗車便としてメモリ装置１０３に記憶された乗車便の集合を示す。すなわち、集合Ｆは、図１２における「○」に対応する乗車便の集合である。ステップＳ３０２以降では、集合Ｆの中から、図４のステップＳ２０３において利用者に提示される乗車便の組み合わせを選択するための処理が実行される。以下、利用者に提示される乗車便の組み合わせを、「集合Ａ」という。
【００８８】
集合Ａは、集合Ｆの冪集合の要素のいずれかであるが、利用者に提示される乗車便が多過ぎると、利用者の混乱を招く虞がある。すなわち、利用者が、所望の乗車便を探し出すための負担を増大させる虞がある。そこで、例えば、タクシーサービスの乗車便、乗合タクシーサービスの乗車便、及び小型バスサービスの乗車便を一つずつ提示する等、各サービス種別について提示される乗車便の上限数が定められてもよい。斯かる上限数は、上記した所定条件の一例である。なお、集合Ａは、以下のように定義される。
【００８９】
【数１】
2014238831.tif 000003
【００９０】
ｔａｘｉ、ｓｈａｒｅｄ、ｂｕｓは、それぞれ、タクシーサービス、乗合タクシーサービス、小型バスサービスを示す。
【００９１】
本実施の形態において、利用者による乗車便の選択は、多項ロジットモデル（Multinomial Logit Model,MNL）に基づいて行われると仮定する。したがって、集合Ａの各乗車便が選択肢として与えられる場合、各選択肢の選択確率Pjは、以下の式（１）で計算することができる。
【００９２】
【数２】
2014238831.tif 000004
【００９３】
上記において、ｊ∈Ａ∪{ｒｅｊｅｃｔ}は、集合Ａに関する選択肢が、集合Ａを構成する乗車便群と、当該各乗車便がいずれも選択されないこととの和集合の要素であることを示す。
【００９４】
また、式（１）において、集合Ａは、集合Ｆの部分集合のうち、所定条件を満たす部分集合のいずれかである。すなわち、式（１）では、当該部分集合が、集合Ａに選択されたと仮定した場合の、集合Ａを構成する各乗車便の選択確率を算出するための式である。
【００９５】
また、式（１）において、Ｖｊは、選択肢ｐｊの効用である。効用とはミクロ経済学の分野で用いられる概念であり、選択肢を選択することで得られる満足度の水準を表す。
【００９６】
なお、本実施の形態において、選択肢は、乗車便pi,mである。したがって、式（１）におけるPjは、Pi,mによって置き換えられる。また、Vjは、乗車便pi,mを利用することで得られる効用Vi,mによって置き換えられる。
【００９７】
効用Vi,mは、例えば、以下の式（２）で算出することができる。
【００９８】
【数３】
2014238831.tif 000005
【００９９】
乗車便pi,mのｋ番目の属性は、例えば、料金、出発地から目的地までの所要時間、乗車待ち時間、乗車時間、降車場所から目的地までの移動時間等である。各属性の値は、乗車便pi,m及び乗車要求等に基づいて特定可能又は算出可能である。
【０１００】
上記より、ステップＳ３０２において、選択確率算出部１２４は、式（１）に式（２）を代入して得られる式によって、集合Ｆの部分集合のうち、所定条件を満たす部分集合ごとに、当該部分集合を構成する各乗車便pi,mの選択確率を算出する。
【０１０１】
続いて、ステップＳ３０３の詳細について説明する。ステップＳ３０３において、提示乗車便選択部１２５は、所定条件を満たす部分集合のうち、乗車便の提供者が乗車要求に係る利用者から得られる利益（以下、単に、「利益」という。）の期待値、又は乗車要求に係る利用者の効用（以下、単位、「効用」という。）の期待値が最大となる部分集合を、集合Ａとして選択する。
【０１０２】
ここで、乗車便pi,mを、利用者に提示するか否かを決定する変数xi,mが導入される。xi,m＝１ならば、乗車便pi,mは提示され、xi,m＝０ならば、乗車便pi,mは提示されない。実現可能でない乗車便pi,mについて、xi,mは、常に０である。そうすると、集合Ｆの部分集合のうち、所定条件を満たす乗車便pi,mの組み合わせを示す行列ｘは、以下の式（３）で表せる。
【０１０３】
【数４】
2014238831.tif 000006
【０１０４】
行列ｘは、所定条件を満たす乗車便pi,mの組み合わせを示す３行Ｎ列の行列である。
【０１０５】
例えば、以下は、或るｘの値である。
【０１０６】
【数５】
2014238831.tif 000007
【０１０７】
或るｘに対応する乗車便の組み合わせを提示した場合に、利益の期待値又は効用の期待値を返却する関数をＲとすると、利益の期待値又は効用の期待値が最大となる集合Ａを選択するという問題は、次の式（４）によって定式化することができる。
【０１０８】
【数６】
2014238831.tif 000008
【０１０９】
式（４）を満たすｘに対応する乗車便の組み合わせを利用者に提示することで、利益の期待値又は効用の期待値を最大化することができる。
【０１１０】
そして、式（４）は、式（５）のように定義することができる。
【０１１１】
【数７】
2014238831.tif 000009
【０１１２】
式（５）において、Pi,mは、或るｘに対応する乗車便の組み合わせを提示した場合の、乗車便pi,mの選択確率であり、ステップＳ３０２において、選択確率算出部１２４によって算出されている。
【０１１３】
ri,mが、乗車便pi,mから得られる利益の場合、ri,mは、以下の式（６）で計算される。
【０１１４】
【数８】
2014238831.tif 000010
【０１１５】
一方、効用の期待値を最大化する場合、式（５）は、以下の式（７）に書き換えられる。
【０１１６】
【数９】
2014238831.tif 000011
【０１１７】
上記より、ステップＳ３０３において、提示乗車便選択部１２５は、利益の期待値の最大化を優先する場合、式（６）に基づいて、乗車便の組み合わせを選択する。一方、提示乗車便選択部１２５は、効用の期待値の最大化を優先する場合、式（７）に基づいて、乗車便の組み合わせを選択する。
【０１１８】
または、式（６）及び式（７）のそれぞれに基づいて乗車便の組み合わせが選択され、それぞれの組み合わせが、利用者への提示対象とされてもよい。
【０１１９】
また、利用者への提示対象は、利益の期待値又は効用の期待値が最大の乗車便の組み合わせに限定されなくてもよい。例えば、利益の期待値又は効用の期待値が上位Ｎ番目までの組み合わせが、利用者への提示対象とされてもよい。
【０１２０】
また、選択確率や、利益及び効用等は、上記と異なる式を用いて算出されてもよい。
【０１２１】
上述したように、第一の実施の形態によれば、同一の車両によって複数種類の乗車形態での乗車便が提供される輸送サービスに関して、実現可能な乗車便群の部分集合のうち、所定条件を満たす部分集合ごとに、当該部分集合を構成する乗車便の選択確率が算出される。そして、算出された選択確率に基づいて、乗車便の組み合わせが選択され、選択された組み合わせが利用者に提示される。したがって、単に、乗車要求を満たすことが可能な乗車便を列挙する場合に比べて、経済的効果の向上を期待できる選択肢を利用者に提示することができる。
【０１２２】
また、第一の実施の形態によれば、利用者に提示される乗車便の組み合わせの選択に際し、選択確率に基づいて、利益の期待値又は効用の期待値が最大化される組み合わせが選択される。したがって、輸送サービスの提供者の利益、又は利用者の効用の観点において望ましい乗車便の組み合わせを利用者に提示することができる。その結果、輸送サービスの提供者の利益の向上、又は利用者の効用の向上を期待することができる。
【０１２３】
例えば、上記のように利用者に提示される乗車便の組み合わせが最適化されることにより、車両不足を招く選択肢が提示される可能性を低下させることができる。そうでない場合、以降の利用者に対するサービスの提供が困難となり、サービスの提供者が利益を失う可能性が有る。又は、利用者に却下され、サービスの提供者が結果的に利益を得ることのできない選択肢が提示される可能性を低下させることができる。
【０１２４】
次に、第二の実施の形態について説明する。第二の実施の形態では第一の実施の形態と異なる点について説明する。したがって、特に言及されない点については、第一の実施の形態と同様でもよい。
【０１２５】
図１３は、第二の実施の形態における輸送サービス予約システムの構成例を示す図である。図１３中、図１と同一部分には同一符号を付し、その説明は省略する。
【０１２６】
図１３に示される輸送サービス予約システム２は、更に、車両端末３０を含む。車両端末３０は、インターネット、電話回線等の通信網を介して輸送サービス予約装置１０に通信可能に接続されている。車両端末３０は、例えば、専用の車載器、又は運転手の携帯端末等である。なお、運転手以外に、サービス提供者側の者が車両に添乗する場合、当該添乗員の携帯端末が車両端末３０として用いられてもよい。以下の説明における「運転手」は、「添乗員」によって置き換えられてもよい。
【０１２７】
図１４は、第二の実施の形態における輸送サービス予約システムの機能構成例を示す図である。図１４中、図３と同一部分には同一符号を付し、その説明は省略する。なお、第二の実施の形態において、利用者端末２０の機能構成は、第一の実施の形態と同様でよいため、図１４において、利用者端末２０の図示は省略されている。
【０１２８】
図１４において、車両端末３０は、通信制御部３１、入力制御部３２、出力制御部３３、ＧＰＳ部３４、乗客情報読取部３５、及びナビゲーション部３６等を有する。これら各部は、車両端末３０にインストールされたプログラムが、車両端末３０のＣＰＵに実行させる処理により実現される。車両端末３０は、また、地図データ記憶部３７及びスケジュール情報記憶部３８等を有する。これら各記憶部は、例えば、車両端末３０の補助記憶装置を用いて実現可能である。
【０１２９】
通信制御部３１は、輸送サービス予約装置１０等との通信を制御する。入力制御部３２は、運転手からの入力を受け付ける。出力制御部３３は、入力に応じた処理によって得られる情報等を、車両端末３０の表示部に表示させる。ＧＰＳ部３４は、車両端末３０によって受信されるＧＰＳ（Global Positioning System）信号に基づいて、車両の現在位置を測位する。乗客情報読取部３５は、各利用者が所有するＩＣカード（例えば、会員カード）等からの、利用者の情報の読み取りを制御する。ナビゲーション部３６は、スケジュールに応じた経路の探索や、探索された経路の案内等を行う。
【０１３０】
一方、輸送サービス予約装置１０は、更に、車両制御部１２７及び課金部１２８等を有する。これら各部は、輸送サービス予約装置１０にインストールされたプログラムが、ＣＰＵ１０４に実行させる処理により実現される。
【０１３１】
第二の実施の形態において、車両制御部１２７は、図４のステップＳ２０４において受信された予約要求に係る乗車便が割り当てられた車両の車両端末３０に対して、当該乗車便のスケジュール情報を送信する。なお、スケジュール情報の送信は、例えば、図４のステップＳ２０６の実行後に続けて実行される。
【０１３２】
当該車両の車両端末３０の通信制御部３１は、スケジュール情報を受信すると、当該スケジュール情報を、スケジュール情報記憶部３８に記憶する。出力制御部３３は、スケジュール情報の受信若しくは運転手からの入力に応じて、又は当該スケジュール情報に対して所定時間前の時刻の到来等に応じて、当該スケジュール情報を、車両端末３０の表示部に表示してもよい。そうすることで、運転手は、運転スケジュールを確認することができる。
【０１３３】
また、車両端末３０のナビゲーション部３６は、スケジュール情報に含まれている停車場所を結ぶ経路を探索し、経路案内を行ってもよい。経路の探索には、地図データ記憶部３７に記憶されている地図データが用いられてもよい。なお、探索された経路に沿って、自動走行が行われてもよい。すなわち、輸送サービスにおいて、自動走行可能な車両が用いられてもよい。
【０１３４】
ＧＰＳ部３４は、車両が一定距離走行するたび若しくは一定時間ごと、又は双方の組み合わせごとに、車両の現在位置を測位する。通信制御部３１は、ＧＰＳ部３４による測位結果である位置情報を、輸送サービス予約装置１０に送信する。輸送サービス予約装置１０の車両制御部１２７は、位置情報の送信元の車両の識別情報に対応付けて、受信された位置情報を車両情報記憶部１３２に記憶する。その結果、輸送サービス予約装置１０は、車両の大凡の現在位置を把握することができる。乗車便生成部１２３は、車両の位置情報をも考慮して、乗車便の生成を行ってもよい。
【０１３５】
車両端末３０の乗客情報読取部３５は、利用者が乗降する際に、車両端末３０が備える又は車両端末３０に接続されたカードリーダにセットされる利用者のＩＣカード等から、例えば、利用者ＩＤを読み取る。通信制御部３１は、読み取られた利用者ＩＤを輸送サービス予約装置１０に送信する。
【０１３６】
輸送サービス予約装置１０の課金部１２８は、受信された利用者ＩＤを含むレコードを予約情報記憶部１３５から検索し、当該レコードの「料金」の項目に記憶された課金額を、課金する。なお、課金額は、例えば、利用者情報記憶部１３１に当該利用者ＩＤに対応付けられて記憶されている口座情報に係る口座から引き落とされてもよい。又は、当該課金額は、電子メールや郵便等、別の手段によって、利用者に請求されてもよい。
【０１３７】
上述したように、第二の実施の形態によれば、輸送サービスの予約、予約に応じた車両の制御、及び課金等について、自動化を促進することができる。
【０１３８】
なお、本実施の形態において、スケジュール情報記憶部１３４は、記憶部の一例である。要求受信部１２１は、受信部の一例である。乗車便生成部１２３は、生成部の一例である。選択確率算出部１２４は、算出部の一例である。提示乗車便選択部１２５は、選択部の一例である。
【０１３９】
以上、本発明の実施例について詳述したが、本発明は斯かる特定の実施形態に限定されるものではなく、特許請求の範囲に記載された本発明の要旨の範囲内において、種々の変形・変更が可能である。
【０１４０】
以上の説明に関し、更に以下の項を開示する。
（付記１）
出発地及び目的地の指定を含む乗車要求を受信し、
同一車両によって複数種類の乗車形態での乗車便を提供可能な車両ごとに、当該車両に対して割り当てられたスケジュール、及び当該スケジュールの乗車形態の種類、を示す情報を記憶する記憶部を参照して、前記複数種類の乗車形態に係る実現可能な乗車便を生成し、
生成された実現可能な乗車便群の部分集合の中で所定条件を満たす部分集合ごとに、当該部分集合を構成する各乗車便の選択確率を算出し、
算出された選択確率に基づいて、前記所定条件を満たす部分集合の中から、前記乗車要求に対して提示する部分集合を選択する、
処理をコンピュータが実行することを特徴とする輸送サービス予約方法。
（付記２）
前記複数種類の乗車形態は、同時に対応可能な乗車要求の数が相互に異なることを特徴とする付記１記載の輸送サービス予約方法。
（付記３）
前記複数種類の乗車形態は、経路の変更の可否が相互に異なることを特徴とする付記１又は２記載の輸送サービス予約方法。
（付記４）
前記選択する処理は、前記算出された選択確率に基づいて、前記所定条件を満たす部分集合ごとに、乗車便の提供者の利益の期待値を算出し、前記利益の期待値に基づいて、前記乗車要求に対して提示する部分集合を選択することを特徴とする付記１乃至３いずれか一項記載の輸送サービス予約方法。
（付記５）
前記選択する処理は、前記算出された選択確率に基づいて、前記所定条件を満たす部分集合ごとに、乗車便の利用者の効用の期待値を算出し、前記効用の期待値に基づいて、前記乗車要求に対して提示する部分集合を選択することを特徴とする付記１乃至４いずれか一項記載の輸送サービス予約方法。
（付記６）
前記選択する処理において選択された部分集合を、前記乗車要求の送信元に返信し、
返信された部分集合の中から利用者が選択した乗車便を受信し、前記乗車便に係る車両に対し、当該乗車便を実現するスケジュールに関する情報を送信する、
処理を前記コンピュータが実行する付記１乃至５いずれか一項記載の輸送サービス予約方法。
（付記７）
同一車両によって複数種類の乗車形態での乗車便を提供可能な車両ごとに、当該車両に対して割り当てられたスケジュール、及び、スケジュールの乗車形態の種類、を示す情報を記憶する記憶部と、
出発地及び目的地の指定を含む乗車要求を受信する受信部と、
前記記憶部を参照して、前記複数種類の乗車形態に係る実現可能な乗車便を生成する生成部と、
前記生成部によって生成された実現可能な乗車便群の部分集合の中で所定条件を満たす部分集合ごとに、当該部分集合を構成する各乗車便の選択確率を算出する算出部と、
算出された選択確率に基づいて、前記所定条件を満たす部分集合の中から、前記乗車要求に対して提示する部分集合を選択する選択部と、
を有することを特徴とする輸送サービス予約装置。
（付記８）
前記複数種類の乗車形態は、同時に対応可能な乗車要求の数が相互に異なることを特徴とする付記７記載の輸送サービス予約装置。
（付記９）
前記複数種類の乗車形態は、経路の変更の可否が相互に異なることを特徴とする付記７又は８記載の輸送サービス予約装置。
（付記１０）
前記選択部は、前記算出された選択確率に基づいて、前記所定条件を満たす部分集合ごとに、乗車便の提供者の利益の期待値を算出し、前記利益の期待値に基づいて、前記乗車要求に対して提示する部分集合を選択することを特徴とする付記７乃至９いずれか一項記載の輸送サービス予約装置。
（付記１１）
前記選択部は、前記算出された選択確率に基づいて、前記所定条件を満たす部分集合ごとに、乗車便の利用者の効用の期待値を算出し、前記効用の期待値に基づいて、前記乗車要求に対して提示する部分集合を選択することを特徴とする付記７乃至１０いずれか一項記載の輸送サービス予約装置。
（付記１２）
前記選択部によって選択された部分集合を、前記乗車要求の送信元に返信する送信部と、
返信された部分集合の中から利用者に選択された乗車便を受信し、前記乗車便に係る車両に対し、当該乗車便を実現するスケジュールに関する情報を送信する送信部とを有する付記７乃至１１いずれか一項記載の輸送サービス予約装置。
（付記１３）
出発地及び目的地の指定を含む乗車要求を受信し、
同一車両によって複数種類の乗車形態での乗車便を提供可能な車両ごとに、当該車両に対して割り当てられたスケジュール、及び、当該スケジュールの乗車形態の種類、を示す情報を記憶する記憶部を参照して、前記複数種類の夫々の乗車形態に係る実現可能な乗車便を生成し、
生成された実現可能な乗車便群の部分集合の中で所定条件を満たす部分集合ごとに、当該部分集合を構成する各乗車便の選択確率を算出し、
算出された選択確率に基づいて、前記所定条件を満たす部分集合の中から、前記乗車要求に対して提示する部分集合を選択する、
処理をコンピュータに実行させる輸送サービス予約プログラム。
（付記１４）
前記複数種類の乗車形態は、同時に対応可能な乗車要求の数が相互に異なることを特徴とする付記１３記載の輸送サービス予約プログラム。
（付記１５）
前記複数種類の乗車形態は、経路の変更の可否が相互に異なることを特徴とする付記１３又は１４記載の輸送サービス予約プログラム。
（付記１６）
前記選択する処理は、前記算出された選択確率に基づいて、前記所定条件を満たす部分集合ごとに、乗車便の提供者の利益の期待値を算出し、前記利益の期待値に基づいて、前記乗車要求に対して提示する部分集合を選択することを特徴とする付記１３乃至１５いずれか一項記載の輸送サービス予約プログラム。
（付記１７）
前記選択する処理は、前記算出された選択確率に基づいて、前記所定条件を満たす部分集合ごとに、乗車便の利用者の効用の期待値を算出し、前記効用の期待値に基づいて、前記乗車要求に対して提示する部分集合を選択することを特徴とする付記１３乃至１６いずれか一項記載の輸送サービス予約プログラム。
（付記１８）
前記選択する処理において選択された部分集合を、前記乗車要求の送信元に返信し、
返信された部分集合の中から利用者が選択した乗車便を受信し、前記乗車便に係る車両に対し、当該乗車便を実現するスケジュールに関する情報を送信する、
処理を前記コンピュータが実行する付記１３乃至１７いずれか一項記載の輸送サービス予約プログラム。
【符号の説明】
【０１４１】
１            輸送サービス予約システム
１０          輸送サービス予約装置
２０          利用者端末
２１          入力制御部
２２          要求送信部
２３          応答受信部
２４          出力制御部
３０          車両端末
３１          通信制御部
３２          入力制御部
３３          出力制御部
３４          ＧＰＳ部
３５          乗客情報読取部
３６          ナビゲーション部
３７          地図データ記憶部
３８          スケジュール情報記憶部
１００        ドライブ装置
１０１        記録媒体
１０２        補助記憶装置
１０３        メモリ装置
１０４        ＣＰＵ
１０５        インタフェース装置
１２１        要求受信部
１２２        応答送信部
１２３        乗車便生成部
１２４        選択確率算出部
１２５        提示乗車便選択部
１２６        予約処理部
１２７        車両制御部
１２８        課金部
１３１        利用者情報記憶部
１３２        車両情報記憶部
１３３        地図データ記憶部
１３４        スケジュール情報記憶部
１３５        予約情報記憶部
【図１】
2014238831.tif 000012
【図２】
2014238831.tif 000013
【図３】
2014238831.tif 000014
【図４】
2014238831.tif 000015
【図５】
2014238831.tif 000016
【図６】
2014238831.tif 000017
【図７】
2014238831.tif 000018
【図８】
2014238831.tif 000019
【図９】
2014238831.tif 000020
【図１０】
2014238831.tif 000021
【図１１】
2014238831.tif 000022
【図１２】
2014238831.tif 000023
【図１３】
2014238831.tif 000024
【図１４】
2014238831.tif 000025